(57)【要約】【課題】水平軸をもつ旋回式のゴルフ練習機はその回転を持続させるためには、球を地面から浮かせるか、球をティに乗せて打たなければならない。このような練習機で球を接地した状態で打つと旋回を持続させることはできず、飛距離、球筋を推測することができない。アイアンショットで起りがちなミスショットであるダフリを確認するには接地した球を打つ練習が必要である。接地した球を打ち、かつ打球の水平軸中心の回転が持続できる旋回式のゴルフ練習機は接地した球を打つクラブのショット練習に効果的である。【課題を解決するための手段】旋回中心を水平軸とし、球の接地状態では旋回中心が水平軸より下方に位置し、打球と共に旋回中心が上昇し水平軸に達し、球の旋回を持続する構造とする。水平軸に連結した傾斜軸の下方にある旋回中心が打球に伴う摺動運動によって水平軸まで上昇し、球の旋回を持続する構造とする。【選択図】図１
2013081673.tif 000002
【特許請求の範囲】
【請求項１】
可搬支柱、可搬三脚、構造物等に取付け可能な基部より略水平に突出するＬ字部材と、
該Ｌ字部材に遊嵌されたリング状部材と、
該リング状部材に紐状部材で連結される球と、
からなるゴルフ練習用具。
【請求項２】
Ｌ字部材は水平部とガイド部から構成され、その内曲面の曲率半径が１ｍｍ以下であり、その開角が９５°〜１０５°であること、
水平部にＵ溝、ガイド部先端にストッパーを有する、
ことを特徴とする請求項１に記載するゴルフ練習用具。
【請求項３】
水平部に設けるU溝はその側壁頂部がガイド部内曲面より１ｍｍ以内に位置する
ことを特徴とする請求項２に記載するゴルフ練習用具。
【請求項４】
リング状部材を低摩擦係数であり、耐摩耗性に優れたビーズで被覆することを特徴とする請求項１に記載するゴルフ練習用具。
【請求項５】
基部にアイアンヘッドを挟着するための冶具を有することを特徴とする請求項１に記載するゴルフ練習用具。
【発明の詳細な説明】
【技術分野】
【０００１】
本発明は、ゴルフショットの練習を効率よく行うことができるゴルフ練習用具に関するものである。
【背景技術】
【０００２】
軸中心に球が回転する旋回式のゴルフ練習機は正確なショット、飛距離アップの練習に適した練習機であり、狭い場所で効率的な練習ができる特徴がある。特に、旋回軸は水平なものは飛距離だけでなく旋回面から球筋を推測することできる特徴がある。
【先行技術文献】
【特許文献】
【０００３】
【特許文献１】特開２００４−３２１６３１号公報
【特許文献２】特開２００６−２３９０８８号公報
【発明の概要】
【発明が解決しようとする課題】
【０００４】
水平軸をもつ旋回式のゴルフ練習機はその回転を持続させるため、球を地面から浮かせるか、球をティに乗せて打たなければならない。このような練習機で球を接地した状態で打つと旋回を持続させることはできず、飛距離、球筋を推測することができない。アイアンショットで起りがちなミスショットであるダフリを確認するには接地した球を打つ練習が必要である。接地した球を打ち、かつ打球の水平軸中心の回転が持続できる旋回式のゴルフ練習機は接地した球を打つクラブのショット練習に効果的である。
【課題を解決するための手段】
【０００５】
旋回中心を水平軸とし、球の接地状態では旋回中心が水平軸より下方に位置し、打球と共に旋回中心が上昇し水平軸に達し、球の旋回を持続する構造とする。
【０００６】
水平軸に連結した傾斜軸の下方にある旋回中心が打球に伴う摺動運動によって水平軸まで上昇し、球の旋回を持続する構造とする。
【０００７】
請求項１、請求項２および請求項３に係わる発明は、図２及び図３に例示するものであって、地上０．５ｍ〜１ｍの高さに位置する基部１に水平部２とガイド部３からなるＬ字部材を固定し、水平部湾曲付近にＵ溝５およびガイド部先端にストッパー４を設けた構造である。
【０００８】
接地した球９を紐部材８で連結するリング状部材７がストッパー位置より打球と共にガイド部を摺動によって上昇し、Ｕ溝に収まり球９が水平軸旋回を持続させることができる。
【０００９】
Ｕ溝５での旋回を持続させるにはＬ字部材の開角は少なくとも９０°以上であることが必要であり、５°〜１５°傾斜した回転面の旋回を持続させるには９５°〜１０５°の開角が必要である。球の飛行方向は摺動方向に拘束されているため、この開角が大きくなると本来の飛行方向も大きく変えられる。開角は約１００°が最適で、上限が１０５°と考えられる。
【００１０】
図３に示すように、紐部材８の長さはリング状部材７がストッパー位置では球９は接地し、Ｕ溝５に収まった状態の球９’は地面より僅かに浮くように調整しておくと水平部旋回を持続させることができる。
【００１１】
請求項３に係わる発明は、リング状部材７が打球と共にガイド部３を摺動で上昇し、Ｕ溝５に円滑に収まる条件を記載したものである。すなわち、ガイド部３と水平部２との内曲面の曲率半径１５が１ｍｍ以下、ガイド部内曲面１４とＵ溝側壁頂部１７との段差１８が１ｍｍ以下であることが必要である。
【００１２】
また、ガイド部３を垂直下向より反時計方向に２０°〜３０°傾斜させるとリング状部材７のガイド部３に対する摺動摩擦を小さくする効果が期待できる。
【００１３】
リング状部材７がガイド部３を円滑に上昇するため、リング状部材７はガイド部３に対して低摩擦係数であり、耐摩耗性のある材質であることが好ましい。
【００１４】
請求項４はリング状部材７に関するもので、リング状部材７が可塑性高分子材料である場合、図４に示すようにリング状部材７をガラス、セラミックスなどのビーズ１９で被覆することによって可塑性を保持しながら摩擦係数かつ耐摩耗性を改善することができる。
【発明の効果】
【００１５】
この練習用具では接地した球を打つため、ゴルフショットにおいてダフリのミスショットを確認することができ、その対処法が見つけるのに役立つ。旋回式のため広い練習場所を必要とせず、飛球は自動的にほぼ元の位置にもどり効率的な練習が出来る。旋回数より飛距離を推定しながら、旋回面の傾斜より球筋を確認しながら練習することができる。
【図面の簡単な説明】
【００１６】
【図１】ゴルフ練習用具を三脚に取付けた斜視図。
【図２】ゴルフ練習用具の正面図およびＵ溝付近拡大図。
【図３】ゴルフ練習用具の側面図。
【図４】リング状部材等。
【図５】基部およびアイアンヘッド。
【発明を実施するための最良の形態】
【００１７】
図１に示すように三脚１０の高さを０．８ｍとし、雲台１１に基部を固定する。
その基部に固定されたＬ字部材は約３０ｃｍの水平部２と約１０ｃｍのガイド部３からなり、図３に示すようにガイド部３は鉛直下方から反時計方向に２０°〜３０°傾斜させる。
【実施例】
【００１８】
約６ｇの球９を紐部材８で連結したリング状部材７をストッパー４位置に置くと球９は芝マット１２に接地状態になる。球９をショットすると、飛球と共にリング状部材７がガイド棒３を摺動によって上昇し、Ｕ溝５に収まり旋回を持続する。
【００１９】
また、Ｕ溝５での旋回を持続するためには、ショット前にリング状部材７がＵ溝５に収めた状態で球９が芝マット１２から僅かに浮くように紐部材８の長さを調整しておく必要がある。
【００２０】
また、６ｇの球９を用いれば、球９とリング状部材７を結ぶ紐部材８の長さ、すなわち回転半径を約０．８ｍ以上とすれば３５ｋｍ／秒の速いヘッドスピードの打球によっても回転軸に負荷される遠心力を１０Ｎ（ニュートン）以下に抑えることができ、Ｌ字部材を三脚によって安定に支えることができる。
【００２１】
表１によって球９の重さと遠心力の関係がわかる。
【表１】
2013081673.tif 000003
【００２２】
請求項５は三脚１１を用いる場合、基部にアイアンヘッドを挟着し、シャフトを補助脚にすることによって遠心力に対する安定性を補強する一つの手段である。
【符号の説明】
【００２３】
１  基部
２  水平部
３  ガイド部
４  ストッパー
５  Ｕ溝
６  開角
７  ショット前のリング状部材
７’  ショット後のリング状部材
８  ショット前の紐部材
８’  ショット後の紐部材
９  ショット前の球
９’  ショット後の球
１０  雲台
１１  三脚
１２  芝マット
１３  水平部内曲面
１４  ガイド部内曲面
１５  曲率半径
１６  Ｕ溝側壁
１７  Ｕ溝側壁頂部
１８  段差
１９  ビーズ
２０  ヘッド挟着ジグ
２１  アイアンヘッド
２２  アイアンシャフト
【図１】
2013081673.tif 000004
【図２】
2013081673.tif 000005
【図３】
2013081673.tif 000006
【図４】
2013081673.tif 000007
【図５】
2013081673.tif 000008